(57)【要約】  【課題】座本体や背凭れ本体等の被覆対象物に対する留め具の良好な引っ掛け状態を維持するとともに、良好な外観を確保できるカバー体を提供する。  【解決手段】カバー本体Ｃ１の巻込部Ｃ１ｒに固着した留め具Ｃ２が、相互に対向し且つ座本体２の縁部２Ｅを挟持し得る第１挟持片Ｃ２１及び第２挟持片Ｃ２２を備え、第１挟持片Ｃ２１の第１オーバーハング部Ｃ２１１及び第２挟持片Ｃ２２の第２オーバーハング部Ｃ２２をそれぞれ設け、これら第１オーバーハング部Ｃ２１１及び第２オーバーハング部Ｃ２２１をカバー本体Ｃ１の巻込部Ｃ１ｒにそれぞれ縫合した。【選択図】図９
2007236710.tif 000002
【特許請求の範囲】
【請求項１】
背凭れ本体や座本体等の被覆対象物の縁部に巻き込み可能な巻込部を開口縁部に設けたカバー本体と、当該カバー本体の前記巻込部に一部を縫合し且つ前記被覆対象物の縁部に引っ掛け可能な留め具とを具備してなり、前記カバー本体にテンションを掛けた状態で前記留め具を前記被覆対象物の縁部に引っ掛け可能なカバー体であって、
前記留め具が、相互に対向し且つ前記被覆対象物の縁部を挟持し得る第１挟持片及び第２挟持片を備え、第１挟持片及び第２挟持片に相互に対向しないオーバーハング部をそれぞれ設け、これら各オーバーハング部を前記カバー本体の巻込部にそれぞれ縫合していることを特徴とするカバー体。
【請求項２】
前記第１挟持片及び第２挟持片にそれぞれ設けたオーバーハング部を、ミシンを利用して前記カバー本体の巻込部に縫合している請求項１記載のカバー体。
【請求項３】
前記第１挟持片が前記被覆対象物の表面側に位置付けられるものであり、前記第２挟持片が前記被覆対象物の裏面側に位置付けられるものであり、
前記留め具が、これら第１挟持片及び第２挟持片の各基端部同士を接続する接続部を備え、第１挟持片の基端部から先端部までの寸法を、第２挟持片の基端部から先端部までの寸法より大きくすることにより、前記第１挟持片にオーバーハング部を形成している請求項１又は２記載のカバー体。
【請求項４】
前記カバー本体が前記巻込部に襠部を有するものであり、前記第１挟持片のオーバーハング部を前記カバー本体に縫合する縫合部を、前記襠部の縫合部に略一致させている請求項３記載のカバー体。
【請求項５】
前記第２挟持片に、前記第１挟持片の側縁よりも側方に突出する側方突出部を設け、当該側方突出部を第２挟持片のオーバーハング部として機能させている請求項３又は４記載のカバー体。
【請求項６】
前記被覆対象物が、裏面に他の部位より裏面側に突出する突出部を備えたものであり、
前記第２挟持片に、前記引っ掛け状態において前記突出部と当該第２挟持片とが厚み方向に干渉することを回避する回避部を設け、当該回避部を前記突出部に当接させることにより前記被覆対象物の縁部に対する前記留め具の取付位置を位置決めしている請求項３、４又は５記載のカバー体。
【請求項７】
前記回避部が、前記第２挟持片の一部を切り欠いたものである請求項６記載のカバー体。
【請求項８】
請求項１〜７何れか記載のカバー体を背凭れ本体又は座本体の何れか一方又は両方に取り付けたことを特徴とする椅子。
【発明の詳細な説明】
【技術分野】
【０００１】
本発明は、座本体や背本体等に取付可能なカバー体、及び当該カバー体を備えた椅子に関するものである。
【背景技術】
【０００２】
従来より、ファスナ等の留め金具等を利用せずに座本体や背本体の被覆対象物を被覆するカバー体として、被覆対象物の縁部を巻き込み得る巻込部を開口縁部に設けた伸縮性を有するカバー本体と、巻込部に一部を縫合し被覆対象物の縁部に引っ掛け可能な断面Ｃ字形状の留め具とを備えたカバー体が知られている（例えば特許文献１参照）。具体的には、図１０に示すように、カバー本体ＸＣ１と留め具ＸＣ２とを備え、留め具ＸＣ２に設けられ被覆対象物ＸＨ（例えば座本体）の縁部ＸＨＥを挟持する対をなす挟持片（第１挟持片ＸＣ２１、第２挟持片ＸＣ２２）のうち、前記引っ掛け状態において被覆対象物ＸＨの裏面側に位置付けられる第２挟持片ＸＣ２２を、前記引っ掛け状態において被覆対象物ＸＨの表面側に位置付けられる第１挟持片ＸＣ２１よりも長尺のものとして、この第２挟持片ＸＣ２２の先端部をカバー本体ＸＣ１に縫合することにより留め具ＸＣ２をカバー本体ＸＣ１の巻込部ＸＣ１ｒに固着したものが挙げられる。そして、カバー本体ＸＣ１を引っ張りながら留め具ＸＣ２を被覆対象物ＸＨの縁部ＸＨＥに引っ掛けることにより、このカバー体ＸＣを被覆対象物ＸＨに取付可能にしている（図１０（ａ）参照）。
【特許文献１】特開２００３−１３５２２４号公報（図４等）
【発明の開示】
【発明が解決しようとする課題】
【０００３】
ところで、上述したカバー体ＸＣは、留め具ＸＣ２の第２挟持片ＸＣ２２の先端部をカバー本体ＸＣ１に縫合し、一方で留め具ＸＣ２の第１挟持片ＸＣ２１をカバー本体ＸＣ１に縫合していないため、カバー体ＸＣを被覆対象物ＸＨに取り付けた状態において、カバー本体ＸＣ１に作用するテンションが、第２挟持片ＸＣ２２とカバー本体ＸＣ１との縫合部ＸＭ、すなわち被覆対象物ＸＨの縁部ＸＨＥを巻き込み終えた部位を被覆対象物ＸＨの表面側へ浮かそうとする力として常時作用している（図１０（ａ）参照）。そのため、留め具ＸＣ２の第２挟持片ＸＣ２２に不意に手が掛かる等、留め具ＸＣ２の引っ掛け状態を解除する方向への外力が作用した場合、カバー本体ＸＣ１に作用するテンションにより、留め具ＸＣ２が、第１挟持片ＸＣ２１の先端部と被覆対象物ＸＨの縁部ＸＨＥとの当接部を支点に回動し、簡単に引っ掛け状態が解除されるという不具合が生じる（図１０（ｂ）、（ｃ）参照）。特に、被覆対象物ＸＨの表面側に位置付けられる第１挟持片ＸＣ２１を被覆対象物ＸＨの裏面側に位置付けられる第２挟持片ＸＣ２２よりも短寸なものとしているため、被覆対象物の表面側に位置付けられる第１挟持片を被覆対象物の裏面側に位置付けられる第２挟持片Ｘよりも長尺なものとした留め具と比較して、留め具ＸＣ２が回動し易く、より小さな外力で留め具ＸＣ２の回動動作が始まり、引っ掛け状態が簡単に解除されるという問題が生じる。また、前記第２挟持片ＸＣ２２を第１挟持片ＸＣ２１よりも長手のものとしているため、カバー体ＸＣの裏面側において留め具ＸＣ２に接触可能な領域が不要に大きくなり、カバー体ＸＣの裏面側において留め具ＸＣ２に手が掛かり易いという問題もある。
【０００４】
一方、図１１に示すように、第１挟持片ＹＣ２１を第２挟持片ＹＣ２２よりも長尺のものとし、第１挟持片ＹＣ２１の先端部をカバー本体ＹＣ１に縫合した態様であれば、カバー本体ＹＣ１に作用するテンションが、第１挟持片ＹＣ２１とカバー本体ＹＣ１との縫合部ＹＭ、すなわち被覆対象物ＸＨの縁部ＸＨＥを巻き込む手前の部位を前記テンションと同一方向へ引っ張る力として常時作用するため、留め具ＹＣ２が回動することなく、引っ掛け状態が簡単に解除されるという不具合は解消できるものの、第２挟持片ＹＣ２２とカバー本体ＹＣ１とを縫合していないため、カバー本体ＹＣ１の巻込部ＹＣ１ｒが留め具ＹＣ２から浮いた状態となり、カバー本体ＹＣ１に作用するテンションによりその浮きが特に目立つという不具合が生じる。
【０００５】
そこで、第１挟持片及び第２挟持片の何れをもカバー本体に縫合する態様も考えられるが、縫合作業の容易化及びスムーズ化という観点からは、相対的に長尺な一方の挟持片のうち他方の挟持片に対向しない部位を縫合する作業は容易であるものの、相対的に短寸な他方の挟持片が何れの部位も一方の挟持片に対向しているため、当該他方の挟持片を縫合する作業は極めて面倒であり、縫合作業を効率良く行うことができず、量産性に劣るという問題が生じる。
【０００６】
本発明は、このような課題に着目してなされたものであって、主たる目的は、座本体や背凭れ本体等の被覆対象物に対する留め具の良好な引っ掛け状態を維持するとともに、良好な外観を確保し、加えてカバー本体に対する留め具の縫合作業の容易化を実現するカバー体を提供することにある。
【課題を解決するための手段】
【０００７】
すなわち、本発明のカバー体は、背凭れ本体や座本体等の被覆対象物の縁部に巻き込み可能な巻込部を開口縁部に設けたカバー本体と、当該カバー本体の前記巻込部に一部を縫合し且つ前記被覆対象物の縁部に引っ掛け可能な留め具とを具備してなり、前記カバー本体にテンションを掛けた状態で前記留め具を前記被覆対象物の縁部に引っ掛け可能なものであって、前記留め具が、相互に対向し且つ前記被覆対象物の縁部を挟持し得る第１挟持片及び第２挟持片を備え、第１挟持片及び第２挟持片に相互に対向しないオーバーハング部をそれぞれ設け、これら各オーバーハング部を前記カバー本体の巻込部にそれぞれ縫合していることを特徴とする。
【０００８】
このようなものであれば、第１挟持片及び第２挟持片の各オーバーハング部をカバー本体の巻込部に縫合しているため、被覆対象物の縁部に留め具を引っ掛けた状態において、カバー本体に作用するテンションが、第１挟持片又は第２挟持片のうち、前記被覆対象物の表面側に位置付けられる一方の挟持片とカバー本体との縫合部位を前記テンションと同一方向へ引っ張る力として常時作用するため、被覆対象物の裏面側に位置付けられる他方の挟持片やカバー本体に不意に手が掛かった場合であっても、留め具の引っ掛け状態が簡単に解除されることなく、良好な引っ掛け状態を維持することができる。しかも、第１挟持片又は第２挟持片のうち、被覆対象物の裏面側に位置付けられる他方の挟持片のオーバーハング部をカバー本体に縫合しているため、カバー本体の巻込部が留め具から浮くことを防止し、良好な外観を確保することができる。さらに、第１挟持片及び第２挟持片にそれぞれ設けたオーバーハング部をカバー本体に縫合させるため、相互に対向する部位をカバー本体に縫合させる態様と比較して、縫合作業を容易且つスムーズに行うことができる。
【０００９】
このように、本発明のカバー体は、カバー本体と留め具との縫合部を、被覆対象物の縁部を巻き込む手前の部位及び巻き込み終えた部位の何れにも設けているため、カバー本体に作用するテンションが被覆対象物の縁部を巻き込む手前の部位に設けた縫合部を当該テンションと同一方向へ引っ張る力と作用し、留め具の良好な引っ掛け状態を維持するのみならず、カバー本体の巻込部が留め具から浮くことによる外観不良を回避することができる。
【００１０】
特に、前記第１挟持片及び第２挟持片にそれぞれ設けたオーバーハング部を、ミシンを利用して前記カバー本体の巻込部に縫合するようにすれば、生産ラインにて留め具をカバー本体に縫合することが可能となり、量産性に優れたものとなる。
【００１１】
加えて、前記第１挟持片が前記被覆対象物の表面側に位置付けられるものであり、前記第２挟持片が前記被覆対象物の裏面側に位置付けられるものであり、前記留め具が、これら第１挟持片及び第２挟持片の各基端部同士を接続する接続部を備え、第１挟持片の基端部から先端部までの寸法を、第２挟持片の基端部から先端部までの寸法より大きくすることにより、前記第１挟持片にオーバーハング部を形成するようにすれば、第１挟持片のオーバーハング部を単純な構造で実現することができるとともに、被覆対象物の裏面側において留め具に手が掛か得る領域を可及的に小さくすることができる。
【００１２】
第１挟持片のオーバーハング部とカバー本体との縫合部がカバー本体の表面側に表出することによる外観の低下を抑制するには、前記カバー本体が前記巻込部に襠部を有するものであり、前記第１挟持片のオーバーハング部を前記カバー本体に縫合する縫合部を、前記襠部の縫合部に略一致させればよい。
【００１３】
また、単純な構造で第２挟持片のオーバーハング部を実現するには、前記第２挟持片に、前記第１挟持片の側縁よりも側方に突出する側方突出部を設け、当該側方突出部を第２挟持片のオーバーハング部として機能させる態様が好ましい。
【００１４】
さらに、前記被覆対象物が、の裏面に他の部位より裏面側に突出する突出部を備えたものであり、前記第２挟持片に、前記引っ掛け状態において前記突出部と当該第２挟持片とが厚み方向に干渉することを回避する回避部を設け、当該回避部を前記突出部に当接させることにより前記被覆対象物の縁部に対する前記留め具の取付位置を位置決めしている態様であれば、留め具の取付位置が位置ずれすることを防止することができ、回避部を位置決め部としても機能させることにより、回避部とは別途に専用の位置決め部を設ける態様と比較して部材の共通化、ひいてはコストの削減を図ることができる。この場合の好適な実施態様としては、前記回避部が、前記第２挟持片の一部を切り欠いたものである態様が挙げられる。
【００１５】
また、本発明の椅子は、上述したカバー体を背凭れ本体又は座本体の何れか一方或いは両方に取り付けたことを特徴とするものである。ここで、カバー本体の被覆対象物としては、背凭れ本体のみ、座本体のみ、背凭れ本体及び座本体の両方、の３態様が挙げられる。このような椅子であれば、上述したカバー体によって得られる効果と同様の効果を得ることができ、実用性に優れたものになる。
【発明の効果】
【００１６】
以上説明したように本発明によれば、第１挟持片及び第２挟持片の何れをもカバー本体の巻込部に縫合しているため、留め具の引っ掛け状態が不意に解除されるという不具合を解消し、良好な引っ掛け状態を維持するとともに、カバー本体の巻込部が留め具から浮くことを防止して良好な外観を確保することができる。さらに、留め具をカバー本体に縫合する作業を容易且つスムーズに行うことができる。
【発明を実施するための最良の形態】
【００１７】
以下、本発明の一実施形態を、図面を参照して説明する。
【００１８】
本実施形態に係るカバー体Ｃは、例えば図１及び図２（図１は椅子１の全体概略図であり、図２はカバー体Ｃを取り付ける前の椅子１の全体概略図である）等に示す椅子１に適用されるものである。
【００１９】
まず、この椅子１について簡単に説明する。
【００２０】
本実施形態に係る椅子１は、座本体２と、背凭れ本体３と、座本体２を支持する支持脚４とを備えたものである。
【００２１】
本実施形態では、座本体２及び背凭れ本体３を単一のシェル構造体とし、背凭れ本体３の高さ方向に沿った中間部から下端部に亘る領域に括れ部３１を設けている。そして、座本体２をカバー体Ｃで被覆し得るようにしている。すなわち、座本体２が本発明の「被覆対象物」に相当する。また、図１〜図３（図３は図２の椅子１を底面側から見たものであって一部を省略して示す図である）座本体２の縁部２Ｅ及び背凭れ本体３の縁部３Ｅをそれぞれ座本体２、背凭れ本体３の裏面側に湾曲又は屈曲させるとともに、座本体２の裏面及び背凭れ本体３の裏面にリブを設けている。このリブのうち、図４（同図は、図３の要部拡大図であって留め具Ｃ２の引っ掛け状態を示す模式的に図である）に示すように、座本体２の裏面に設けたリブ２Ｒが、本発明の「被覆対象物の裏面側に突出する突出部」に相当する。
【００２２】
しかして、本実施形態に係るカバー体Ｃは、図５及び図６（図５はカバー体Ｃの平面図であり、図６はカバー体Ｃの底面図である）に示すように、座本体２の縁部２Ｅに巻き込み可能な巻込部Ｃ１ｒを開口縁部に設けたカバー本体Ｃ１と、カバー本体Ｃ１の巻込部Ｃ１ｒに一部を縫合し且つ座本体２の縁部２Ｅに引っ掛け可能な留め具Ｃ２とを備えたものである。
【００２３】
カバー本体Ｃ１は、座本体２の表面側全体を被覆する表面被覆部Ｃ１１と、座本体２の縁部２Ｅの裏面側を被覆する裏面被覆部Ｃ１２と、表面被覆部Ｃ１１と裏面被覆部Ｃ１２との間に配した襠部Ｃ１３とを備えた伸縮性を有するものである。本実施形態では、このカバー体Ｃを座本体３に取り付けた取付状態においてカバー体Ｃと背凭れ本体３の括れ部３１との干渉を避けるために、カバー本体Ｃ１のうち取付状態において背凭れ本体３の括れ部３１に相当する部位には、襠部Ｃ１３及び裏面被覆部Ｃ１２を設けていない。これにより、カバー本体Ｃ１のうち背凭れ本体３の括れ部３１に相当する部位を挟んだ位置にカバー本体１の開放端Ｃ１ａが露出している。また、表面被覆部Ｃ１１と襠部Ｃ１３との縫合部である第１縫合部Ｍ１はカバー本体Ｃ１の表面側に表出し（図５参照）、裏面被覆部Ｃ１２と襠部Ｃ１３との縫合部である第２縫合部Ｍ２はカバー本体Ｃ１の裏面側に表出している（図６参照）。そして、連続する表面被覆部Ｃ１１の周縁部、襠部Ｃ１３及び裏面被覆部Ｃ１２により前記巻込部Ｃ１ｒを形成している。なお、本実施形態では、少なくとも表面被覆部Ｃ１１を、布地とウレタンフォームとの二層状にしている。また、これら表面被覆部Ｃ１１、裏面被覆部１２及び襠部Ｃ１３はそれぞれいわゆる袋縫いで縫合されており、各部（表面被覆部Ｃ１１、裏面被覆部１２及び襠部Ｃ１３）の裁ち目がカバー本体１の表面側に表出しないようにしている。
【００２４】
留め具Ｃ２は、図７及び図８（図７は留め具Ｃ２の全体斜視であり、図８（ａ）、（ｂ）、（ｃ）はそれぞれ図６のＸ方向矢視図、Ｙ方向矢視図、Ｚ方向矢視図である）に示すように、相互に対向し且つ座本体２の縁部２Ｅを挟持し得る第１挟持片Ｃ２１及び第２挟持片Ｃ２２と、これら第１挟持片Ｃ２１及び第２挟持片Ｃ２２の各基端部同士を接続する接続部Ｃ２３とを備えた例えば合成樹脂素材の一体成型品である。
【００２５】
第１挟持片Ｃ２１は、留め具Ｃ２を座本体２の縁部２Ｅに引っ掛けた引っ掛け状態において座本体２の表面側に位置付けられるものであり、第２挟持片Ｃ２２に対向しない第１オーバーハング部Ｃ２１１を備えている。本実施形態では、第１挟持片Ｃ２１の基端部から先端部までの寸法を、第２挟持片Ｃ２２の基端部から先端部までの寸法より大きく設定し、第２挟持片Ｃ２２よりも延伸した部位を第１オーバーハング部Ｃ２１１として機能させている。さらに、第１挟持片Ｃ２１の先端部、すなわち第１オーバーハング部Ｃ２１１の先端部を第２挟持片Ｃ２２から離間する方向に湾曲させ、これにより座本体２の縁部２Ｅに対する引っ掛け操作の簡便化を図っている（図８（ｂ）参照）。
【００２６】
第２挟持片Ｃ２２は、前記引っ掛け状態において座本体２の裏面側に位置付けられるものであり、第１挟持片Ｃ２１に対向しない第２オーバーハング部Ｃ２２１を備えている。本実施形態では、第１挟持片Ｃ２１の側縁よりも側方に突出する側方突出部を設け、この側方突出部を第２挟持片Ｃ２２の第２オーバーハング部Ｃ２２１として機能させている。なお、本実施形態における留め具Ｃ２は、単一の第２オーバーハング部Ｃ２２１を、第２挟持片Ｃ２２の一方の側縁部のみに設けている。また、この第２挟持片Ｃ２２に、前記引っ掛け状態において座本体２のリブ２Ｒとこの第２挟持片Ｃ２２とが厚み方向に干渉することを回避する回避部Ｃ２２２を設けている。具体的には、第２挟持片Ｃ２２の一部（図示例では、第２オーバーハング部Ｃ２２１を設けていない側の所定領域）を切り欠くことにより回避部Ｃ２２２を形成している。
【００２７】
このような留め具Ｃ２をカバー本体Ｃ１の巻込部Ｃ１ｒに固着するには、巻込部Ｃ１ｒに対する留め具Ｃ２の取付姿勢を決定した上で、第１挟持片Ｃ２１の第１オーバーハング部Ｃ２１１の先端部近傍部位を、第１挟持片Ｃ２１の縦断方向に沿って巻込部Ｃ１ｒに縫合するとともに、第２挟持片Ｃ２２の第２オーバーハング部Ｃ２２１の突出端部近傍部位を、第２挟持片Ｃ２２の横断方法に沿って巻込部Ｃ１ｒに縫合することにより行う。本実施形態では、カバー本体Ｃ１の前記開放端Ｃ１ａ近傍部位にそれぞれ留め具Ｃ２を固着している（図５及び図６参照）。また、第２挟持片Ｃ２２の第２オーバーハング部Ｃ２２１を開放端Ｃ１ａ側に位置付けている。また、各オーバーハング部（第１オーバーハング部Ｃ２１１、第２オーバーハング部Ｃ２２１）の巻込部Ｃ１ｒに対する縫合は、図示しないミシンを利用して行われる。そして、第１オーバーハング部Ｃ２１１とカバー本体Ｃ１との縫合部である第３縫合部Ｍ３を、カバー本体Ｃ１の表面被覆部Ｃ１１と襠部Ｃ１３との縫合部である前記第１縫合部Ｍ１に略一致させ（図５及び図６参照、なお、これら各図では説明の便宜上、第１方郷部Ｍ１と第３縫合部Ｍ３とを若干離間させている）、第２オーバーハング部Ｃ２２１とカバー本体Ｃ１との縫合部である第４縫合部Ｍ４を、裏面被覆部Ｃ１３の縁部を折り返して縫合した部位に略一致させている（図６参照）。また、第３縫合部Ｍ３、第４縫合部Ｍ４のそれぞれ両縁部近傍を二重に縫合し、縫合強度の向上を図っている。なお、本実施形態では、カバー本体Ｃ１の生地の色と略同一又は同系色のミシン糸を用いている。
【００２８】
次に、図９（同図は図１のａ―ａ線断面を模式的に示す作用説明図である）を参照しながら、このような構成を有するカバー体Ｃを座本体２に取り付ける手順及びカバー体Ｃの作用について説明する。
【００２９】
先ず、カバー本体Ｃ１を適度に伸長しながら、座本体２の縁部２Ｅのうち前縁部及び側縁部をカバー本体Ｃ１の巻込部Ｃ１ｒで巻き込む。次いで、カバー本体Ｃ１を後方に引っ張りながら、巻込部Ｃ１ｒ内に固着した留め具Ｃ２を座本体２の縁部２Ｅのうち後縁部に引っ掛ける。この際、第１挟持片Ｃ２１の先端部を第２挟持片Ｃ２２から離間する方向（図示例では下方）に湾曲させているため、この第１挟持片Ｃ２１と第２挟持片Ｃ２２との間に座本体２の縁部２Ｅを挟み込む作業をスムーズに行うことができる。また、留め具Ｃ２を座本体２の縁部２Ｅに引っ掛けた引っ掛け状態において、図４に示すように、回避部Ｃ２２２によって第１挟持片Ｃ２１とリブ２Ｒとが厚み方向に重合することを回避するとともに、回避部Ｃ２２２の縁部をリブ２Ｒに当接させることにより、留め具Ｃ２が座本体２の側方にずれ落ちることを防止し、座本体２の縁部２Ｅに対する留め具Ｃ２の取付位置を位置決めしている。そして、留め具Ｃ２を座本体２の縁部２Ｅに引っ掛けた後、カバー本体Ｃ１を後方へ引っ張る力を停止すると、カバー本体Ｃ１が収縮し、図９（ａ）に示すように、留め具Ｃ２の接続部Ｃ２３が座本体２の縁部２Ｅに当接又は近接するとともに、当該座本体２の縁部２Ｅが第１挟持片Ｃ２１と第２挟持片Ｃ２２とで挟持される。この取付状態では、カバー本体Ｃ１にテンション（カバー本体Ｃ１が収縮する方向へのテンション）が掛かっており、座本体２の表面側にカバー本体Ｃ１の皺等が生じないように設定している。さらに、カバー本体Ｃ１の開放端Ｃ１ａと第２挟持片Ｃ２２の第２オーバーハング部Ｃ２２１とを縫合しているため、カバー本体Ｃ１の開放端Ｃ１ａが留め具Ｃ２から浮いて外観を損なうという不具合が生じることがない。加えて、座本体２の裏面側において留め具Ｃ２の第２挟持片Ｃ２２に不意に手が掛かる等して留め具Ｃ２にその引っ掛け状態を解除する力が作用した場合、カバー本体Ｃ１に作用するテンションが第１オーバーハング部Ｃ２１１と巻込部Ｃ１ｒとの第３縫合部Ｍ３に作用し、当該第３縫合部Ｍ３よりカバー体Ｃの縁部側の領域をカバー本体Ｃ１に作用するテンションと同一方向へ引っ張る力、すなわち留め具Ｃ２の接続部Ｃ２３を座本体２の縁部２Ｅに近寄せる方向への力となるため、留め具Ｃ２の引っ掛け状態が不意に解除されることがない。
【００３０】
一方、このカバー体Ｃを座本体２から取り外すには、カバー本体Ｃ１を後方に引っ張り、留め具Ｃ２の引っ掛け状態を解除することにより行う。具体的には、図９（ｂ）に示すように、留め具Ｃ２の第２挟持片Ｃ２２の先端部が座本体２の縁部２Ｅを越える位置までカバー本体Ｃ１を後方に引っ張る。すなわち、カバー本体Ｃ１及び留め具Ｃ２を、第２挟持片Ｃ２２の基端部から先端部までの寸法よりも長い距離後方へ移動させる操作が必要となる。
【００３１】
このように、本実施形態に係るカバー体Ｃは、留め具Ｃ２が、座本体２の縁部２Ｅを挟持し得る第１挟持片Ｃ２１及び第２挟持片Ｃ２２を備え、第１挟持片Ｃ２１及び第２挟持片Ｃ２２に相互に対向しないオーバーハング部（第１オーバーハング部Ｃ２１１、第２オーバーハング部Ｃ２２１）をそれぞれ設け、これら各オーバーハング部（第１オーバーハング部Ｃ２１１、第２オーバーハング部Ｃ２２１）をカバー本体Ｃ１の巻込部Ｃ１ｒにそれぞれ縫合しているため、座本体２の縁部２Ｅを巻き込む手前の部位及び巻き込み終えた部位の何れにもカバー本体Ｃ１と留め具Ｃ２との縫合部Ｍ３、Ｍ４が存在するカバー体Ｃとなり、カバー本体Ｃ１に作用するテンションが座本体２の縁部２Ｅを巻き込む手前の部位に設けた縫合部、すなわち第１オーバーハング部Ｃ２１１とカバー本体Ｃ１との縫合部Ｍ３を当該テンションと同一方向へ引っ張る力と作用し、留め具Ｃ２の良好な引っ掛け状態を維持するとともに、座本体２の縁部２Ｅを巻き込み終えた部位に設けた縫合部、すなわち第２オーバーハング部Ｃ２２１とカバー本体Ｃ１との縫合部Ｍ４によってカバー本体Ｃ１の巻込部Ｃ１ｒが留め具Ｃ２から浮くことを防止して、良好な外観を実現することができる。さらに、第１挟持片Ｃ２１及び第２挟持片Ｃ２２にそれぞれ設けたオーバーハング部（第１オーバーハング部Ｃ２１１、第２オーバーハング部Ｃ２２１）をカバー本体Ｃ１に縫合させるため、相互に対向する部位をカバー本体に縫合させる態様と比較して、縫合作業を容易且つスムーズに行うことができる。
【００３２】
特に、第１挟持片Ｃ２１及び第２挟持片Ｃ２２にそれぞれ設けたオーバーハング部（第１オーバーハング部Ｃ２１１、第２オーバーハング部Ｃ２２１）を、ミシンを利用してカバー本体Ｃ１の巻込部Ｃ１ｒに縫合しているため、工場の生産ラインで縫合作業を行うことが可能となり、量産性に優れたものとなる。
【００３３】
さらに、第１挟持片Ｃ２１の基端部から先端部までの寸法を、第２挟持片Ｃ２２の基端部から先端部までの寸法より大きくすることによって第１挟持片Ｃ２１に第１オーバーハング部Ｃ２１１を形成するとともに、第２挟持片Ｃ２２に第１挟持片Ｃ２１の側縁よりも側方に突出する側方突出部を設けることにより第２挟持片Ｃ２２に第２オーバーハング部Ｃ２２１を形成しているため、第１オーバーハング部Ｃ２１１、第２オーバーハング部Ｃ２２１を極めて単純な構造で実現することができる。加えて、座本体２の表面側に位置付けられる第１挟持片Ｃ２１を第２挟持片Ｃ２２よりも長尺のものとしているため、座本体２の裏面側において手が掛かる領域を小さくして留め具Ｃ２に不意に手が掛かるという事態を生じ難い。
【００３４】
また、第１挟持片Ｃ２１の第１オーバーハング部Ｃ２１１をカバー本体Ｃ１に縫合する縫合部Ｍ３を、カバー本体Ｃ１の襠部Ｃ１３の縫合部Ｍ１に略一致させているため、カバー本体Ｃ１の表面側に表出する第１挟持片Ｃ２１の縫合部Ｍ３を目立たなくすることができる。
【００３５】
加えて、座本体２が裏面に他の部位より裏面側に突出するリブ２Ｒを備えたものであり、第２挟持片Ｃ２２に、引っ掛け状態においてリブ２Ｒと第２挟持片Ｃ２２とが厚み方向に干渉することを回避する回避部Ｃ２２２を設け、この回避部Ｃ２２２をリブ２Ｒに当接させることにより座本体２の縁部２Ｅに対する留め具Ｃ２の取付位置を位置決めしているため、留め具Ｃ２の取付位置がずれることを防止することができるとともに、回避部Ｃ２２２とは別途に専用の位置決め部を設ける態様と比較して部材の共通化、構造の簡略化を有効に図ることができる。
【００３６】
なお、本発明は、以上に詳述した実施形態に限られるものではない。
【００３７】
例えば、前記実施形態では、被覆対象物が座本体である態様を例示したが、被覆対象物が、背凭れ本体のみ、或いは座本体及び背凭れ本体の両方である態様であってもよい。
【００３８】
また、一のカバー体が具備する留め具の個数は適宜増減してもよく、また、被覆対象物の縁部のうち、一縁部のみに留め具を引っ掛ける態様、対向する縁部にそれぞれ留め具を引っ掛ける態様等、留め具を引っ掛ける対象は被覆対象部の縁部であればどの部位であっても構わない。
【００３９】
また、留め具が、被覆対象物の裏面側に位置付けられる一方の挟持片の基端部から先端部までの寸法を、被覆対象物の表面側に位置付けられる他方の挟持片の基端部から先端部までの寸法よりも大きく設定したものであってもよい。この場合、他方の挟持片に、例えば一方の挟持片の側縁よりも側方に突出させた側方突出部を設け、この側方突出部をオーバーハング部として機能させればよい。
【００４０】
また、カバー本体が襠部を有さないものであっても構わない。この場合、カバー体の表面側に留め具とカバー本体との縫合部が表出するが、留め具とカバー本体とを縫合する糸として、カバー本体の生地と同系色の糸、或いは透明又は半透明の糸を適用し、当該縫合部を目立たないようにすればよい。
【００４１】
量産性に劣るものカバー体と留め具との縫合をより確実に行うために、各オーバーハング部の何れか一方又は両方をカバー本体に手縫いで縫合しても構わない。
【００４２】
回避部は、リブ等の突出部との干渉を避けるものであればよく、その形状は突出部の形状に対応させて適宜変更すればよい。また、一の留め具に複数の回避部を設けても構わない。
【００４３】
また、被覆対象物が、縁部に留め具が引っ掛け可能な引っ掛け対象物を設けたものであれば、シェル構造体以外のものであってもよい。
【００４４】
さらに、本発明に係るカバー体をスクリーンパネルに適用しても構わない。この場合、被覆対象物がスクリーンパネルの骨格を構成する枠体となり、この枠体の縁部に、伸縮性を有しスクリーンとして機能するカバー本体の巻込部に縫合した留め具を引っ掛ける態様となる。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係る椅子の全体概略図。
【図２】同実施形態に係る椅子であってカバー体を取り付けていない状態を示す図。
【図３】同実施形態に係る椅子を底面側から見た図。
【図４】同実施形態に係る留め具の引っ掛け状態を示す図。
【図５】同実施形態に係るカバー体の平面図。
【図６】同実施形態に係るカバー体の底面図。
【図７】同実施形態に係る留め具の全体斜視図。
【図８】同実施形態に係る留め具を示す図。
【図９】図１のａ―ａ線断面を模式的に示す作用説明図。
【図１０】従来のカバー体の取付状態を示す作用説明図。
【図１１】従来の異なるカバー体の取付状態を示す作用説明図。
【符号の説明】
【００４７】
１…椅子
２…被覆対象物（座本体）
２Ｅ…縁部
２Ｒ…突出部（リブ）
Ｃ…カバー体
Ｃ１…カバー本体
Ｃ１３…襠部
Ｃ１ｒ…巻込部
Ｃ２…留め具
Ｃ２１…第１挟持片
Ｃ２１１…オーバーハング部（第１オーバーハング部）
Ｃ２２…第２挟持片
Ｃ２２１…オーバーハング部（第２オーバーハング部）
Ｃ２２２…回避部
Ｃ２３…接続部
Ｍ１…第１縫合部
Ｍ３…第３縫合部
【図１】
2007236710.tif 000003
【図２】
2007236710.tif 000004
【図３】
2007236710.tif 000005
【図４】
2007236710.tif 000006
【図５】
2007236710.tif 000007
【図６】
2007236710.tif 000008
【図７】
2007236710.tif 000009
【図８】
2007236710.tif 000010
【図９】
2007236710.tif 000011
【図１０】
2007236710.tif 000012
【図１１】
2007236710.tif 000013